(57)【要約】【課題】  複数の物理文書から直接選択された内容から電子文書を構成するためのユーザ・システム、ユーザ・システムで使用するための方法、およびコンピュータ・プログラムを提供することにある。【解決手段】  この方法は、  物理文書を識別するステップと、  識別された前記物理文書の電子コピーを識別するステップと、  前記物理文書の１つまたは複数のページを識別し、識別された前記ページの上（または下）に連続的に配置され位置合わせされたデジタイジング・タブレット上でマークされた前記ページの部分を識別するステップと、  物理文書の電子コピーから識別されたページの電子コピーを検索するステップと、  受信された電子ページ上で、物理文書上でユーザによって選択された部分に自動的にマークを付けるステップと、  検索された電子ページ上でマークされた部分をオペレーティング・システム・クリップボードにコピーするステップと、  クリップボードの内容をユーザによって指定された宛先ファイルにペーストするステップと、を有する。【選択図】  図１
2007527039.tif 000002
【特許請求の範囲】
【請求項１】
ユーザによって選択された１つまたは複数の物理文書の１つまたは複数の部分の内容から電子文書を構成するための方法であって、前記方法が、
前記ユーザによって行われた各選択についてテーブル内のレコードを作成するステップを有し、前記レコードが前記ユーザによって選択された部分をその電子コピーに関連付けるための手段を有し、コンピュータ・デバイスで使用するための前記ステップが、さらに、
選択された各文書について、
前記ユーザによって選択された前記文書を識別する手段を受信するステップと、
前記文書の電子コピーにアクセスするための手段を受信するステップと、
前記文書の物理コピーの前記ユーザによって選択された１つまたは複数のページを識別する手段を受信するステップであって、前記物理文書が１つまたは複数のページを有するステップと、
選択された各ページについて、
選択された前記ページ上で、前記ユーザによって選択された１つまたは複数の部分を定義する手段を受信するステップと、
選択された各部分について、
選択された前記部分を定義する前記手段を選択テーブルに保管するステップと、
前記選択テーブル内で、選択された前記部分を定義する前記手段を、
選択された前記文書を識別する前記手段と、
選択された前記ページを識別する前記手段と、
前記文書の前記電子コピーにアクセスするための前記手段と、
に関連付けるステップと、
を有する方法。
【請求項２】
選択された前記ページ上で、前記ユーザによって選択された１つまたは複数の部分を定義する手段を受信する前記ステップが、選択された各部分について、
前記コンピュータ・デバイスに接続されたデジタイジング・タブレットから、選択された前記ページ上で、前記ユーザによって選択された前記部分を定義する手段を受信するステップであって、前記デジタイジング・タブレットが選択された前記ページの上または下に位置合わせして配置され、選択された前記部分がスタイラスまたは任意の書込み手段により前記デジタイジング・タブレットの上でマークされるステップ
を有する、請求項１に記載の方法。
【請求項３】
前記デジタイジング・タブレットの上で選択された前記部分にマークを付けるために、選択された前記部分の周りに前記デジタイジング・タブレットの上で前記ユーザによって折れ線が描かれ、前記折れ線が前記デジタイジング・タブレット上に表示される、請求項２に記載の方法。
【請求項４】
選択された前記ページ上で前記ユーザによって選択された前記部分を定義する前記手段が、
前記デジタイジング・タブレットによって捕捉されデジタル化された前記折れ線を定義する点の座標
を有する、請求項１ないし３のいずれか１項に記載の方法。
【請求項５】
前記文書を識別する前記手段が文書参照、好ましくは、文書番号または文書名であり、
前記文書の前記電子コピーにアクセスするための前記手段が、前記電子コピーが位置するサーバのネットワーク・アドレスであり、
前記文書の前記物理コピーのページを識別する前記手段がページ番号である、
請求項１ないし４のいずれか１項に記載の方法。
【請求項６】
前記文書参照と、
前記ネットワーク・アドレスと、
前記ページ番号と、
が、前記文書の前記物理コピー上に印刷されるかまたはそれに付加され、キーボード、マウス、音声認識システムなどの任意のユーザ・インターフェースまたはバーコード・リーダなどの任意の読取り手段により前記コンピュータ・デバイスに入力される、
請求項５に記載の方法。
【請求項７】
前記ネットワークがインターネット・プロトコル（ＩＰ）ネットワークであり、
前記ネットワーク・アドレスがユニフォーム・リソース・ロケータ（ＵＲＬ）であり、
前記サーバがＷｅｂサーバであり、
前記電子コピーがハイパーテキスト・マークアップ言語（ＨＴＭＬ）文書である、
請求項１ないし６のいずれか１項に記載の方法。
【請求項８】
前記コンピュータ・デバイスが前記ネットワークに接続される、請求項１ないし７のいずれか１項に記載の方法。
【請求項９】
前記コンピュータ・デバイスがスタンドアロン・ハンドヘルド・コンピュータ・デバイスである、請求項１ないし７のいずれか１項に記載の方法。
【請求項１０】
前記ネットワークに接続されたコンピュータ・デバイスに前記選択テーブルを転送するステップ
をさらに有する、請求項９に記載の方法。
【請求項１１】
前記文書の前記電子コピーが前記文書の正確な表現である、請求項１ないし１０のいずれか１項に記載の方法。
【請求項１２】
前記文書の前記電子コピーが、テキスト、グラフィックス、イメージ、ハイパーリンクを有する、請求項１ないし１１のいずれか１項に記載の方法。
【請求項１３】
前記ユーザによって選択された物理文書の部分に対応する電子コピーを検索するステップをさらに有し、前記ステップが、
前記選択テーブル内のレコードを指定する手段を受信するステップと、
指定された前記レコード内で
文書を識別する手段と、
前記文書のページを識別する手段と、
前記文書の電子コピーにアクセスするための手段と、
を識別するステップと、
識別された前記文書の前記電子コピーから識別された前記ページの前記電子コピーを検索するステップと、
指定された前記レコード内で、識別された前記ページの部分を定義する手段を識別するステップと、
識別された前記ページの検索された前記電子コピー上の前記部分にマークを付けるステップと、
前記ページの前記電子コピーのマークされた前記部分を宛先文書にコピーするステップと、
をさらに有する、請求項１ないし１２のいずれか１項に記載の方法。
【請求項１４】
識別された前記文書の前記電子コピーから識別された前記ページの前記電子コピーを検索する前記ステップが、
前記電子文書が位置する前記サーバに、前記ネットワークを介して要求を送信するステップであって、前記要求が、
前記文書を識別する前記手段と、
前記文書の前記ページを識別する前記手段と、
を有するステップ
をさらに有する、請求項１３に記載の方法。
【請求項１５】
識別された前記ページの検索された前記電子コピー上の前記部分にマークを付ける前記ステップが、
識別された前記ページの検索された前記電子コピーを表示するステップと、
前記選択テーブルに保管された、選択された前記部分の周りに前記ユーザによって描かれた前記折れ線を定義する点の座標を使用することにより、前記部分を視覚化するステップと、
をさらに有する、請求項１３ないし１４のいずれか１項に記載の方法。
【請求項１６】
前記ページの前記電子コピーのマークされた前記部分を宛先文書にコピーする前記ステップが、
前記電子コピーのマークされた前記部分をバッファ、好ましくは、オペレーティング・システム・クリップボードにコピーまたはカットするステップと、
前記バッファの内容を前記ユーザによって指定された宛先文書にペーストするステップと、
をさらに有する、請求項１３ないし１５のいずれか１項に記載の方法。
【請求項１７】
請求項１ないし１６のいずれか１項に記載の方法の前記ステップを実行するために適合された手段を有するコンピュータ・デバイス。
【請求項１８】
請求項１７に記載の前記コンピュータ・デバイス上で実行されたときに、請求項１ないし１６のいずれか１項に記載の方法の前記ステップを実行するための命令を有するコンピュータ・プログラム。
【発明の詳細な説明】
【技術分野】
【０００１】
本発明は、一般に、「メディア適応コンテンツ（mediaadaptive content）」、「電子出版」、「プリント・オンデマンド」、ならびに、文書構成および注釈に関する。詳細には、本発明は、物理文書（すなわち、印刷文書）の部分を手動で指定し、指定された部分に対応するデジタル・コンテンツをネットワークにより検索するためのシステムおよび方法を開示する。
【背景技術】
【０００２】
インターネットおよび移動体通信の普及により、電子メディアと印刷メディアを結合し、「メディア適応」製品を作成するための新たな機会が提供される。「メディア適応」製品という概念の背後にある理念は、ユーザのニーズに適合された形式でユーザに情報を転送しなければならないということである。印刷文書とマルチメディア製品は補足的なものであり、それらはユーザのニーズに応じて結合しなければならない。この進化を容易にするために、「電子コンテンツは、印刷メディアから直接アクセス可能でなければならない」。
【０００３】
この数年の間、主にパーソナル・コンピュータおよびＣＤ−ＲＯＭの普及ならびにワールド・ワイド・ウェブに対する多数のユーザの至るところからのアクセスのために、「電子出版」がまさに爆発的に増加した。文書、書籍、およびあらゆる種類の出版物を含む、膨大な量の情報は、現在、パーソナル・コンピュータまたは特殊電子書籍リーダ（e-book reader）のユーザにとってアクセス可能なものになっている。
【０００４】
コンピュータベースの読書に対する公衆の熱意が、多くの分析者により、ハードコピー出版の従来の形式に対する脅威と見なされたとしても、ほとんどの人にとって、紙面（paper）を読むことと、電子メディア（たとえば、ＭＳリーダを使用することによる電子書籍）を読むことを比較することはできない。紙は、持ち運びでき、どこでも入手可能であり、容易に使用し扱うことができ、高い解像度を提供する。ほとんどの人は、コンピュータに精通しているかどうかにかかわらず、紙面を読む方を好むものである。
【０００５】
データの記録および処理の分野におけるコンピュータ技術の進歩にもかかわらず、紙の使用は減少していない。実際に、人は、紙のカタログ、雑誌、新聞、地図、および書籍を拾い読みし、ページをめくり、写真やテキストをちらっと見ることに慣れている。たとえば、印刷されたカラー写真の集合は、一連のコンピュータ画面より、非常に容易かつ素早く閲覧することができる。したがって、紙は引き続き、情報を表示するために最も広く使用される手段になっている。その上、紙文書は情報を表示するためにコンピュータ画面より使いやすいので、紙の蓄積の大部分が電子文書の印刷から発生することは明らかなことである。ほとんどの人は、自分の日常作業（会合、企画、プレゼンテーション、注釈、訂正など）を紙の上で実行し、元の電子文書の代わりに印刷されたコピーを使用する。
【０００６】
この数年、「プリント・オンデマンド」という新しい出版技術が、印刷文書に対するこの好みを持ち続けるために貢献してきた。プリント・オンデマンドは、実際に、新しい印刷技術であり、非常に少ない印刷部数の生産を可能にする、新しい形式の情報配布でもある。これは、必要な部数のみが印刷される生産システムである。保有する在庫品を少なくするためのいわゆる「少部数」印刷（少数単位（５０〜１００部）の従来の書籍印刷）とは異なり、プリント・オンデマンドは、特定の顧客の注文に応じて単一書籍の印刷を可能にする。これは、オンデマンド・タイトルが在庫品にならないことを意味する。プリント・オンデマンドの究極のステップは、一度に１部を生産することである。この技術は、ハードコピーの保管を劇的に低減し、したがって、在庫、配送費、および未使用部数をリサイクルまたは破棄するための費用を削減する。その上、この技術はオンデマンドの増刷を可能にし、タイトルがもはや「絶版」にならないことを意味する。
【０００７】
結びとして、多くの電子文書システム（たとえば、Ｗｅｂブラウザ、電子書籍リーダ）が、マルチメディア情報およびサービスにアクセスできることなど、新しいアプリケーションを提供することによって紙に取って代わろうとしても、多数のユーザは依然として紙で作業する。多くの分析者は、「消費者は自分の文書のほとんどを印刷すると言って譲らないだろう」と認めている（たとえば、読むため、閲覧するため、調べるため、注釈を付けるための電子書籍）。
【０００８】
次に、電子文書が印刷されると、電子文書の使用に関連する利点は消滅する。特に、文書の部分を編集し、選択し、マークを付け、他の電子文書を構成するために選択された部分をコピーすることは、もはや不可能である。たとえば、電子文書が印刷されると、ユーザがテキストまたは図を含む印刷コピーの部分を選択し、その選択された部分に対応するデジタル情報を検索し、この情報を他の電子文書にコピーすることは不可能になる。
【０００９】
一般的に、電子文書（たとえば、電子書籍、Ｗｅｂページ、Ｌｏｔｕｓ  Ｎｏｔｅｓ、ＭＳ  Ｗｏｒｄ、Ｌｏｔｕｓ  ＷｏｒｄＰｒｏ、またはＡｄｏｂｅポータブル・ドキュメント・フォーマット（ＰＤＦ））の物理コピーを改良するための新しいシステムおよび方法をユーザに提供することが現実的に必要である。詳細には、物理文書に印刷された情報のうちの選択された部分（たとえば、図、表、参照、段落）を電子文書にエクスポートする機能をユーザに提供することが現実的に必要である。特に、物理文書からテキストおよび図などの情報を選択し、この物理文書の電子コピーからこの情報を検索することが必要である。
【００１０】
たとえば、公共図書館で着席しているユーザが種々の印刷出版物の部分（たとえば、「Ｃｅｌｔｉｃ  Ｌｅｇｅｎｄｓ」関連書籍に印刷されたいくつかの関連段落、参照、およびイラスト）を選択したいと希望する可能性がある。そのユーザは、前記選択を識別するデータをスタンドアロン（すなわち、ネットワークに接続されていない）ハンドヘルド・デバイス（たとえば、ハンドヘルド・コンピュータまたは携帯情報端末）に保管したいと希望する可能性がある。また、このユーザは、物理文書上で行われた選択を識別するデータを後で自分のスタンドアロン・ハンドヘルド・デバイスからインターネットに接続されたパーソナル・コンピュータまたはワークステーションにダウンロードし、Ｗｅｂにより、種々の印刷文書の電子コピーから、選択された部分に含まれる電子情報を検索したいと希望する可能性もある。
【００１１】
したがって、物理文書上で直接選択された情報からユーザが電子文書を構成できるようにするための新しいシステムおよび方法が必要である。
【００１２】
従来技術で参照されている方法はいずれも、物理文書の部分を直接指定して選択し、その後、選択された部分に関連するデジタル情報を自動的に検索するためのシステムを記載していない。
【００１３】
追加情報は、以下の資料で入手可能である。
Ｕｎｉｖｅｒｓｉｔｙ  ｏｆ  Ｍｉｃｈｉｇａｎ  Ｐｒｅｓｓ発行のＴｈｅ  Ｊｏｕｒｎａｌ  ｏｆ  Ｅｌｅｃｔｒｏｎｉｃ  Ｐｕｂｌｉｓｈｉｎｇに掲載されているＰｈｉｌｉｐｐａ  Ｊａｎｅ  Ｂｅｎｓｏｎによる「Ｐａｐｅｒ  Ｉｓ  Ｓｔｉｌｌ  Ｗｉｔｈ  Ｕｓ」（http://www.press.umich.edu/jep/07-02/benson0702.html）
英国ＬＥ１１  ３ＴＵ、レスターシア州ラフバラ所在のＬｏｕｇｈｂｏｒｏｕｇｈ  Ｕｎｉｖｅｒｓｉｔｙ、Ｄｅｐａｒｔｍｅｎｔ  ｏｆ  Ｉｎｆｏｒｍａｔｉｏｎ  ａｎｄ  Ｌｉｂｒａｒｙ  ＳｔｕｄｉｅｓのＤｒ  Ｃｌｉｆｆ  ＭｃＫｎｉｇｈｔによる「Ｅｌｅｃｔｒｏｎｉｃ  Ｊｏｕｒｎａｌｓ  ：  Ｗｈａｔ  Ｄｏ  Ｕｓｅｒｓ  Ｔｈｉｎｋ  ｏｆ  Ｔｈｅｍ  ？」（http://www.dl.ulis.ac.jp/ISDL97/proceedings/mcknight.html）
ＸＲＣＥ：  Ｔｅｃｈｎｉｃａｌ  Ｒｅｐｏｒｔ：  ＥＰＣ−１９９７−１０１（ゼロックス社）の「Ａ  Ｃｏｍｐａｒｉｓｏｎ  ｏｆ  Ｒｅａｄｉｎｇ  Ｐａｐｅｒ  ａｎｄ  Ｏｎ−Ｌｉｎｅ  Ｄｏｃｕｍｅｎｔｓ」（http://www.xrce.xerox.com/publis/cam-trs/html/epc-1997-101.htm）
ＣＳＲＰ  ５０７のＵｎｉｖｅｒｓｉｔｙ  ｏｆ  Ｓｕｓｓｅｘ、Ｓｃｈｏｏｌ  ｏｆ  Ｃｏｇｎｉｔｉｖｅ  ａｎｄ  Ｃｏｍｐｕｔｉｎｇ  ＳｃｉｅｎｃｅｓのＡｎｎ  Ｌｉｇｈｔによる「Ｆｏｕｒｔｅｅｎ  Ｕｓｅｒｓ  ｉｎ  Ｓｅａｒｃｈ  ｏｆ  ａ  Ｎｅｗｓｐａｐｅｒ：  ｔｈｅ  Ｅｆｆｅｃｔ  ｏｆ  Ｅｘｐｅｃｔａｔｉｏｎ  ｏｎ  Ｏｎｌｉｎｅ  Ｂｅｈａｖｉｏｕｒ」（http://www.cogs.susx.ac.uk/users/annl/Expectations.htm）
【特許文献１】欧州特許出願第０１４８０１３５．１号
【特許文献２】米国出願第１０／３１７５０４号
【非特許文献１】Ｕｎｉｖｅｒｓｉｔｙ  ｏｆ  Ｍｉｃｈｉｇａｎ  Ｐｒｅｓｓ発行のＴｈｅ  Ｊｏｕｒｎａｌ  ｏｆ  Ｅｌｅｃｔｒｏｎｉｃ  Ｐｕｂｌｉｓｈｉｎｇに掲載されているＰｈｉｌｉｐｐａ  Ｊａｎｅ  Ｂｅｎｓｏｎによる「Ｐａｐｅｒ  Ｉｓ  Ｓｔｉｌｌ  Ｗｉｔｈ  Ｕｓ」
【非特許文献２】英国ＬＥ１１  ３ＴＵ、レスターシア州ラフバラ所在のＬｏｕｇｈｂｏｒｏｕｇｈ  Ｕｎｉｖｅｒｓｉｔｙ、Ｄｅｐａｒｔｍｅｎｔ  ｏｆ  Ｉｎｆｏｒｍａｔｉｏｎ  ａｎｄ  Ｌｉｂｒａｒｙ  ＳｔｕｄｉｅｓのＤｒ  Ｃｌｉｆｆ  ＭｃＫｎｉｇｈｔによる「Ｅｌｅｃｔｒｏｎｉｃ  Ｊｏｕｒｎａｌｓ  ：  Ｗｈａｔ  Ｄｏ  Ｕｓｅｒｓ  Ｔｈｉｎｋ  ｏｆ  Ｔｈｅｍ  ？」
【非特許文献３】ＸＲＣＥ：  Ｔｅｃｈｎｉｃａｌ  Ｒｅｐｏｒｔ：  ＥＰＣ−１９９７−１０１（ゼロックス社）の「Ａ  Ｃｏｍｐａｒｉｓｏｎ  ｏｆ  Ｒｅａｄｉｎｇ  Ｐａｐｅｒ  ａｎｄ  Ｏｎ−Ｌｉｎｅ  Ｄｏｃｕｍｅｎｔｓ」
【非特許文献４】ＣＳＲＰ  ５０７のＵｎｉｖｅｒｓｉｔｙ  ｏｆ  Ｓｕｓｓｅｘ、Ｓｃｈｏｏｌ  ｏｆ  Ｃｏｇｎｉｔｉｖｅ  ａｎｄ  Ｃｏｍｐｕｔｉｎｇ  ＳｃｉｅｎｃｅｓのＡｎｎ  Ｌｉｇｈｔによる「Ｆｏｕｒｔｅｅｎ  Ｕｓｅｒｓ  ｉｎ  Ｓｅａｒｃｈ  ｏｆ  ａ  Ｎｅｗｓｐａｐｅｒ：  ｔｈｅ  Ｅｆｆｅｃｔ  ｏｆ  Ｅｘｐｅｃｔａｔｉｏｎ  ｏｎ  Ｏｎｌｉｎｅ  Ｂｅｈａｖｉｏｕｒ」
【発明の開示】
【発明が解決しようとする課題】
【００１４】
本発明の主要な一目的は、文書を編集し、参照し、注釈を付け、構成するための現行システムおよび方法を改良することにある。
【００１５】
本発明の一目的は、複数の物理文書から直接選択された情報から電子文書を構成することにある。
【００１６】
本発明の他の目的は、文書の電子コピーにおいて、前記文書の物理コピーから事前に選択された情報を識別することにある。
【００１７】
本発明の他の目的は、文書の電子コピーから、前記文書の物理コピーから選択された情報を検索することにある。
【００１８】
本発明の他の一目的は、携帯用で非接続のスタンドアロン・デバイスを使用し、物理コピーから文書の部分を選択し、前記文書の電子コピーにおいて前記部分を識別するための手段を保管することにある。
【００１９】
本発明のさらに他の一目的は、ハイパーリンクされた文書の物理コピー上で行われた選択から前記ハイパーリンクされた文書のハイパーリンクされた部分（たとえば、ハイパーリンクを含むＨＴＭＬ文書の部分）を検索することにある。
【課題を解決するための手段】
【００２０】
独立請求項に定義されている通り、本発明は、一般に、ユーザによって選択された１つまたは複数の物理文書の１つまたは複数の部分の内容から電子文書を構成するための方法、システム、およびコンピュータ・プログラムに関する。この方法は、
ユーザによって行われた各選択についてテーブル内のレコードを作成するステップを有し、前記レコードがユーザによって選択された部分をその電子コピーに関連付けるための手段を有し、前記ステップが、コンピュータ・デバイスで使用するために、
選択された各文書について、
ユーザによって選択された文書を識別する手段を受信するステップと、
前記文書の電子コピーにアクセスするための手段を受信するステップと、
前記文書の物理コピーのユーザによって選択された１つまたは複数のページを識別する手段を受信するステップであって、前記物理文書が１つまたは複数のページを有するステップと、
選択された各ページについて、
選択されたページ上で、ユーザによって選択された１つまたは複数の部分を定義する手段を受信するステップと、
選択された各部分について、
選択された部分を定義する前記手段を選択テーブルに保管するステップと、
前記選択テーブル内で、選択された部分を定義する前記手段を、
選択された文書を識別する前記手段と、
選択されたページを識別する前記手段と、
前記文書の電子コピーにアクセスするための前記手段と、
に関連付けるステップと、
をさらに有する。
【００２１】
この方法は、
ユーザによって選択された物理文書の部分に対応する電子コピーを検索するステップ
をさらに有し、前記ステップが、
選択テーブル内のレコードを指定する手段を受信するステップと、
指定されたレコード内で
文書を識別する手段と、
文書のページを識別する手段と、
文書の電子コピーにアクセスするための手段と、
を識別するステップと、
識別された文書の電子コピーから識別されたページの電子コピーを検索するステップと、
指定されたレコード内で、識別されたページの部分を定義する手段を識別するステップと、
識別されたページの検索された電子コピー上の前記部分にマークを付けるステップと、
ページの電子コピーのマークされた部分を宛先文書にコピーするステップと、
をさらに有する。
【００２２】
本発明の他の諸実施形態は、従属請求項に示されている。
【００２３】
本発明に特有と思われる新規かつ創意に富んだ特徴は、特許請求の範囲に示されている。しかし、本発明そのもの、ならびにその好ましい使用態様、追加の目的および利点は、添付図面に併せて読んだときに、例示的で詳細な実施形態に関する以下の詳細の説明を参照することにより、最も良く理解されるであろう。
【発明を実施するための最良の形態】
【００２４】
本発明そのもの、ならびにその好ましい使用態様、目的および利点は、添付図面により記載された以下の例示的な実施形態を参照することにより理解することができる。
【００２５】
本発明は、物理文書に含まれる情報のデジタル・コピーを検索する必要性に対処するものである。デジタル情報は、物理文書に印刷されたテキストおよびイメージの電子表現にすることができる。この電子表現は、テキスト、図形要素（チャート、グラフ、またはイラストなど）、ハイパーテキストなどを含むことができる。
【００２６】
本発明は、ユーザが１つまたは複数の物理文書から直接選択された情報から電子文書を構成できるようにすることにより、電子文書を編集し、参照し、注釈を付け、構成するための現行システムおよび方法を改良するものである。
【００２７】
図１、図２、図６、図７、および図８を参照すると、本発明は、以下の実用的な例で例示することができる。すなわち、公共図書館で着席しているユーザは、種々の印刷出版物（１０１）の部分（たとえば、「Ｃｅｌｔｉｃ  Ｌｅｇｅｎｄｓ」関連書籍に印刷されたいくつかの関連段落（６０５）、参照、およびイラスト（７０５））を選択し、これらの選択（１０５）をスタンドアロン・デバイス（１０４）（たとえば、携帯電話）に保管する。その後、このユーザは、印刷出版物（１０１）上で事前に行われた選択（８０３）を自分のスタンドアロン・デバイス（８０１）からインターネット・ネットワーク（８０４）に接続されたワークステーション（８０２）（たとえば、パーソナル・コンピュータ）にダウンロードする。最後に、ユーザは、Ｗｅｂにより、１つまたは複数のサーバ（２０６）から、種々の印刷出版物で選択された部分に対応する電子情報（２０４）を検索し、この電子情報を電子文書にコピーする。
【００２８】
物理文書の部分に含まれるデジタル情報の検索は別として、本発明の利点は、ハイパーリンクを有するＨＴＭＬ（ハイパーテキスト・マークアップ言語）文書の部分を検索する可能性である。
【００２９】
本発明の第１の態様によれば、物理文書（６０１）の部分（６０５）を選択し、ユーザによって行われた各選択について、選択テーブル（６０４）内のレコードを作成するためのシステムおよび方法が開示される。前記レコードは、ユーザによって選択された部分（６０５）をその電子コピーに関連付けるための手段を有する。物理文書の新しい部分を選択し、この新しい選択に対応する選択テーブル内の新しいレコードを作成する、コンピュータ・デバイスで使用するための方法は、以下のステップを有する。
−  ユーザによって選択された物理文書を識別するステップであって、前記物理文書が１つまたは複数のページを有するステップ
−  前記物理文書の電子コピーを識別するステップであって、好ましくは、
出版社サーバ・ネットワーク・アドレス（すなわち、出版社サーバのＵＲＬ）と、
文書番号と、
を識別することによって前記電子コピーを識別するステップ
好ましい一実施形態では、出版社サーバのネットワーク・アドレスと文書番号が前記物理文書に印刷され、ユーザによってコンピュータ・デバイスに入力される。
−  ユーザによって選択されたページを識別するステップ
好ましい一実施形態では、ページ番号がユーザによってコンピュータ・デバイスに入力される。
−  前記物理文書のページ上でユーザによって選択された部分を識別するステップであって、前記ステップは、
選択されたページの上（または下）に透明エレクトロルミネセンス・デジタイジング・タブレット（ＥＬＤＴ：transparent electro-luminescent digitizing tablet）を位置合わせして配置するステップと、
文書の選択された部分を識別するステップと、
を有するステップ
好ましい一実施形態では、多角形の頂点の座標を感知し、それをコンピュータ・デバイスに伝送するスタイラスを使用して、ユーザがＥＬＤＴの上に、選択された部分の周りに折れ線を描く。
−  物理文書の電子コピーを識別し、ユーザによって選択された物理文書の部分に対応するデジタル情報を検索するための手段を、好ましくはコンピュータ・デバイス上に位置する選択テーブルに記録するステップであって、前記手段が、
出版社サーバ・ネットワーク・アドレスと、
文書番号と、
ユーザによって選択されたページの番号と、
物理文書内でユーザによって選択されたページの部分にマークを付けるためにユーザによって描かれた多角形の頂点座標と、
を有するステップ
【００３０】
本発明の第２の態様によれば、ユーザによって選択された物理文書（７０１）の部分（７０５）に対応する電子コピー（１００８）を検索するためのシステムおよび方法が開示される。選択テーブル（１００３）内の各レコードについて、出版社サーバ（１００５）に保管された対応する電子文書からユーザによって行われた選択の電子コピーを検索する方法は、
選択テーブルに事前に記録された
出版社サーバ・ネットワーク・アドレス（ＵＲＬ）と、
文書番号と、
ユーザによって選択されたページの番号と、
を使用して、出版社サーバ上に位置する電子文書から電子ページを検索するステップと、
受信した電子ページにおいて、物理文書の選択された部分の周りにユーザによって描かれた多角形の頂点座標（選択テーブルに記録される）を使用して、前記選択された部分に対応する電子情報を識別するステップと、
識別された電子情報をバッファ、好ましくは、オペレーティング・システム・クリップボードにコピーするステップと、
ユーザによって決定された宛先にバッファの内容をペーストするステップと、
を有する。
【００３１】
本発明によるシステムの構成要素
図１および図２に示されている通り、本発明の特定の一実施形態によるシステムは、
１つまたは複数のページを有する１つまたは複数の物理文書、すなわち、ハードコピー印刷文書（１０１）（たとえば、書籍）と、
物理文書の部分にマークを付けるためにユーザによって行われた描線（ストローク）を捕捉しデジタル化するための透明エレクトロルミネセンス・デジタイジング・タブレット（ＥＬＤＴ）（１０２）（選択された物理文書のページの上に配置するもの）を有する物理文書インターフェースと、
物理文書の部分にマークを付けるためにＥＬＤＴ（１０２）上でストロークを行うためのスタイラス（１０３）と、
スタイラスによりユーザによってＥＬＤＴ上で行われたストロークおよび注釈を保管するためにＥＬＤＴインターフェース（１０２）に接続された（１０６）ユーザ・デバイス（１０４）と、
ユーザ・ワークステーション（２０１）と、
出版社サーバ（２０６）（たとえば、Ｗｅｂサーバ）と、
通信ネットワーク（２０７）（たとえば、インターネット・ネットワーク）と、
を有する。
【００３２】
開示されたシステムの主な構成要素およびそれらの動作については以下に説明する。
【００３３】
物理文書
物理文書（１０１）は、任意の種類のもの、たとえば、新聞、法律文書、地図（たとえば、地形図、政治的地図、歴史的地図、経路図、陰影起伏図、都市図、天然資源地図、鉄道地図、または任意のその他のタイプの地図）、フィクションの小説、学究的教科書、専門書、営業用のカタログ、または任意のその他のタイプの刻印、筆記、または印刷表面にすることができる。文書の材料は、紙、プラスチック、木材、または任意のその他の材料にすることができる。物理文書（３０１）の電子版は出版社サーバ（２０６）に保管される。物理文書（３０１）からそれに対応する電子版を識別するために、
この電子版が位置する出版社サーバ（２０６）のＵＲＬ（すなわち、インターネット・アドレス）（３０６）と、
文書への参照（３０７）（たとえば、ＩＳＢＮ番号、または任意のその他の名前、番号、参照）と、
が物理文書（たとえば、おもて表紙、裏表紙、または１ページ目）上に印刷されているかまたはそれに付加されている。
【００３４】
透明エレクトロルミネセンス・デジタイジング・タブレット（ＥＬＤＴ）
図１２に示されている通り、好ましい一実施形態では、エレクトロルミネセンス・デジタイジング・タブレット（ＥＬＤＴ）（１２００）は、重ねられ、機能的に独立した２枚の透明フォイル、すなわち、
コンピュータ用の位置感知可能液晶ディスプレイ装置（ＰＳＬＣＤ：Position Sensible Liquid Crystal Display Device）を製造するために一般に使用されるタイプの透明デジタイジング・タブレット（ＤＴ）（１２０１）であって、生成される信号が一般にスタイラス（１２０８）によって押された点（１２０４）の座標に比例するものと、
いずれか一方または両方の表面から発光（１２０５）することができる透明で明るい自己放出ディスプレイ（self-emitting display）である透明エレクトロルミネセンス・ディスプレイ（ＥＬ）（１２０２）と、
を有する。
【００３５】
両方のフォイル（すなわち、エレクトロルミネセンス・ディスプレイ（１２０２）の上に積み重ねられたデジタイジング・タブレット（１２０１））を組み合わせると、エレクトロルミネセンス・デジタイジング・タブレット（ＥＬＤＴ）（１２００）が形成される。図１２は、その表面上に印刷（または筆記、塗装、刻印など）された複数の項目（１２０７）（すなわち、単語、写真、アイコンなど）を有する物理文書（１２０３）の上に配置され位置合わせされたＥＬＤＴを表している。この図は、エレクトロルミネセンス・ディスプレイ（１２０２）がスタイラス（１２０８）によって押された点（１２０４）からどのように発光（１２０５）するかを示している。スタイラスによって押された点は物理文書（１２０３）の上で強調表示され、スタイラスによってマークされて（または押されて）いないＥＬＤＴの残りの部分は両方の透明フォイル（１２０１）、（１２０２）を通って光を透過（１２０６）し、その結果、物理文書の表面はマークされて（または押されて）いない領域で目に見えるようになる。
【００３６】
ＥＬＤＴは、赤外線リンク、シリアル有線接続、または任意のその他の通信手段（たとえば、「Ｂｌｕｅｔｏｏｔｈ  Ｓｐｅｃｉａｌ  Ｉｎｔｅｒｅｓｔ  Ｇｒｏｕｐ」によって推進され、Ｂｌｕｅｔｏｏｔｈ公式Ｗｅｂサイト（http://www.bluetooth.com/）で文書化されている「Ｂｌｕｅｔｏｏｔｈ」規格のグローバルに入手可能な２．４ＧＨｚ帯域内で動作するワイヤレス接続による）によりユーザ・デバイス（１０４）と通信（１０６）することができる。
【００３７】
透明デジタイジング・タブレット
デジタイジング・タブレットは、描くため、線を引くため、またはスケッチするために使用される、ありふれた鉛筆および紙と同等の電子装置である。タブレット表面の上で鉛筆様のスタイラスを移動すると、コンピュータ画面上で描画が再現される。その後、描画は、グラフィックスまたはプレゼンテーション・アプリケーション・プログラムにインポートし、編集、フォーマット、および印刷することができる。
【００３８】
本発明の一態様によれば、透明デジタイジング・タブレット（１２０１）は、一般に、
複数の走査線の上に形成された複数の第１の線と、
複数のデータ線の上に形成された複数の第２の線と、
によって形成されたマトリックスを有する基板上に構築することができる。第１および第２の線は、適用されたスタイラスの位置を決定するために使用される。透明な線および接点は、透明導電材料、たとえば、インジウム錫酸化物（ＩＴＯ）によって作られる。ディスプレイ表面の上に統合されると、透明デジタイジング・タブレットは実際には、それを貫通する透明なワイヤ・センサのメッシュを有し、時には視覚的にディスプレイの上のモアレ・パターンのように見える層になる。これらの細いワイヤはペンとともに、コンピュータに報告される移動およびボタン・イベントを発生する。
【００３９】
透明デジタイジング・タブレットは、たとえば、Ｃａｌｃｏｍｐ社およびＷａｃｏｍ社によって生産される。本発明を実現するために使用可能な透明デジタイジング・タブレット技術は、Ｗａｃｏｍ  Ｔｅｃｈｎｏｌｏｇｙ社によって使用されているものである。ペン・タブレット・システムの製造については、Ｗａｃｏｍ  Ｔｅｃｈｎｏｌｏｇｙ社のＷｅｂサイト（http://www.wacom.com/lcdtablets/）に記載されている。
【００４０】
透明エレクトロルミネセンス・ディスプレイ
本発明の他の態様によれば、透明エレクトロルミネセンス・ディスプレイ（１２０２）は、
複数の透明走査線と、
前記走査線を横切る透明データ線と、
走査線とデータ線の交点上のエレクトロルミネセンス（ＥＬ）素子（ピクセル）と、
によって形成されたアレイを有する基板を含むことができる。今日の技術では、この受動マトリックスの発光ディスプレイは、風防ガラス、コックピット、ヘルメット、および眼鏡上に視覚領域ディスプレイを作成するために使用されるタイプのＴＯＬＥＤ（透明有機発光デバイス（Transparent Organic Light Emitting Device））のアレイから作ることができる。
【００４１】
その最も基本的な形式では、ＴＯＬＥＤは、２つの透明導電層の間に挟まれた一連の「小分子」有機薄膜からなるモノリシックの固体デバイスである。デバイスの両端に電圧が印加されると、そのデバイスは発光する。この発光は、電子と正孔が注入され、印加された電界の下で接点から有機ヘテロ接合に向かって移動する、ルミネセンス現象に基づくものである。これらのキャリアが合流すると、これらは、発光するために放射的に再結合する励起子（電子正孔対）を形成する。その結果として、ＴＯＬＥＤは、いずれか一方または両方の表面から放出するように指図することができる、明るい自己放出ディスプレイになる。透明接点を有することに加えて、有機材料は、それ自体の発光スペクトル上および可視スペクトルのほとんどでも透明であるので、これは可能である。
【００４２】
ＴＯＬＥＤディスプレイは、現在、標準的なシリコン半導体で製造されている。ＴＯＬＥＤは、薄膜固体デバイスであるので、本発明に開示されているもののように、非常に薄く軽量かつ耐久性があり、携帯用として理想的である。ＴＯＬＥＤは、底面、上面、または底面と上面の両方から放出することができる。また、ＴＯＬＥＤ技術は、透明性（ＴＯＬＥＤディスプレイは、それが乗っているガラスまたは基板とほぼ同じ程度に澄んだものにすることができ、ガラス板の間に構築されると、オフにしたときにＴＯＬＥＤの透明性は８５％を上回る）、エネルギー効率（電池寿命がより長い場合）、全視角、明るくハイコントラストの発光、高速応答時間、および環境頑強性に関して魅力的な利点を有する。したがって、ＴＯＬＥＤは、本発明に従った透明デジタイジング・タブレットと一緒に使用される発光エレクトロルミネセンス・ディスプレイ構成要素を製造するために十分適している。
【００４３】
使用可能であると考えられる発光フォイル技術の一例は、ＵＮＩＶＥＲＳＡＬ  ＤＩＳＰＬＡＹ社によって製造され、ＵＮＩＶＥＲＳＡＬ  ＤＩＳＰＬＡＹ社のＷｅｂサイト（http://www.universaldisplay.com/toled.php）に完全に記載されている、ＴＯＬＥＤに使用される技術である。
【００４４】
スタイラス
ペン様スタイラス（１２０８）は、従来のキーボードおよびマウス装置の代わりに、データ処理および記憶システム用の入力装置として一般に使用される。スタイラス（１２０８）は、ＥＬＤＴ（１２００）のデジタイジング・タブレット（１２０１）部分と組み合わせて使用される。デジタイジング・タブレット（１２０１）は、抵抗性または容量性デジタイザまたはシート材料を採り入れている。このため、ＥＬＤＴデバイス上でスタイラスによって書き込むことにより、情報を入力することができる。ＥＬＤＴのエレクトロルミネセンス（１２０２）構成要素は、スタイラスの瞬間的位置および移動経路を表示する。このようにして、ＥＬＤＴデバイスは、その上に書かれたパターン（たとえば、書き込まれたメッセージ、スケッチ、または署名）を表示する。
【００４５】
透明デジタイジング・タブレットと組み合わせて使用可能なスタイラスの一例は、ワイヤレスで感圧性のＷａｃｏｍのペンである。
【００４６】
「Ｄｅｖｉｃｅ，  ｍｅｔｈｏｄ  ａｎｄ  ｓｙｓｔｅｍ  ｆｏｒ  ｒｅｔｒｉｅｖｉｎｇ  ａｎｄ  ｄｉｓｐｌａｙｉｎｇ  ｈａｎｄｗｒｉｔｔｅｎ  ａｎｎｏｔａｔｉｏｎｓ」という発明の名称で、２００１年１２月２１日に出願された欧州特許出願第０１４８０１３５．１号／２００２年１２月１２日に出願された米国出願第１０／３１７５０４号（ＩＢＭの参照番号ＦＲ９  ２００１  ００４８）では、スタイラスと協働するように適合された透明デジタイジング・タブレットを有し、手書き注釈を捕捉し表示するために、コンピュータ・システムとともに使用するための装置を開示している。これは、捕捉された手書き注釈を表示するように適合された透明エレクトロルミネセンス・ディスプレイも有し、透明デジタイジング・タブレットは透明エレクトロルミネセンス・ディスプレイ上に重ねられている。透明エレクトロルミネセンス・ディスプレイと、その上に重ねられた透明デジタイジング・タブレットのために、物理文書に物理的にマークを付けずに、手書き注釈にマークを付け、それを物理文書上に表示することができる。したがって、物理文書上（デジタイジング・タブレット上）でユーザによって「書込み」が行われているものが同じ物理文書上で透明エレクトロルミネセンス・ディスプレイによって電子的に照らされているものとしてユーザに見えるように、ユーザは「電子インク」を使用して物理文書の上に注釈を付けることができる。このような装置により、ユーザは、物理文書の保全性をそのままにしておきながら、前記物理文書のすぐ上に情報を描き、スケッチし、注釈を付け、構築し、概略を示し、強化し、消去し、関連付けし、表示することができる。
【００４７】
ユーザ・デバイス
ユーザ・デバイス（１０４）は、パーソナル・コンピュータ、インターネット対応携帯電話、ＰＤＡ、ネットワーク・コンピュータ、インターネット家電、またはワイヤレスＩＰ対応デバイスにすることができる。ユーザ・デバイスは、単独で使用するか、またはネットワーク（たとえば、インターネット・ネットワーク）に接続することができる。しかし、ユーザ・デバイスは、ＥＬＤＴデバイス（１０２）を接続し、物理文書（１０１）上でユーザによって行われた選択を受信し保管するための手段（１０６）を含まなければならない。
【００４８】
ユーザ・デバイス（１０４）は、
出版社サーバ（２０６）のＵＲＬ（３０６）と、
文書番号（３０７）と、
選択されたページ番号（４０６）と、
（ＥＬＤＴ（１０２）とスタイラス（１０３）の組み合わせによって提供されるインターフェースにより）選択された部分の周りにユーザによって描かれた多角形（６０５）、（７０５）を定義する点（Ａ、Ｂ、Ｃ、Ｄ）の座標と、
を処理するために、小型メモリ、小型ディスプレイ（グラフィックス・ディスプレイが欠けている可能性もある）を備えた単純なスタンドアロン・ハンドヘルド・デバイス（ＰＤＡまたは携帯電話など）にすることができることは、留意すべき重要なことである。
【００４９】
このような実施形態では、ユーザ・デバイス（１０４）は、記録された選択データをネットワーク（たとえば、インターネット・ネットワーク）に接続されたユーザ・ワークステーション（２０１）に転送するための手段を含まなければならない。
【００５０】
ユーザ・ワークステーション
ユーザ・ワークステーション（８０２）は、ネットワーク（８０４）（たとえば、インターネット・ネットワーク）に接続されたパーソナル・コンピュータにすることができる。ユーザ・ワークステーションは、ユーザ・デバイス（８０１）に保管された情報を受信するための手段を含む。
【００５１】
出版社サーバ
出版社サーバ（２０６）は主に、物理文書（１０１）の電子コピーが保管されるリポジトリである。物理文書の電子コピーは、元の文書の正確なレプリカを含む。電子表現は、テキスト、図形要素（チャート、グラフ、またはイラストなど）、ハイパーテキスト（すなわち、ハイパーリンクされたオブジェクト）なども含むことができる。
【００５２】
文書（または出版物）の各物理コピーは、
出版社サーバ（２０６）のネットワーク・アドレス（すなわち、ＵＲＬまたはインターネット・アドレス）（３０６）と、
物理文書（３０１）（たとえば、おもて表紙、裏表紙、または１ページ目）上に印刷されているかまたはそれに付加されている、文書への参照（３０７）（たとえば、ＩＳＢＮ番号、または任意のその他のもの）と、
により、この文書の電子コピーに関連付けられる。
【００５３】
物理文書の部分を選択し、前記選択を選択テーブルに記録する方法
図１３に示されている通り、本発明は、物理文書の部分を手動で選択し、前記印刷部分の電子コピーにそれを関連付けるためのシステム、方法、およびコンピュータ・プログラムを開示する。
【００５４】
コンピュータ・システムで使用するためのこの方法は、
（１３０１）ユーザによって選択された物理文書を識別するステップであって、好ましい一実施形態では、文書ＩＤが物理文書上に印刷され、ユーザによってコンピュータ・システムに入力されるステップと、
文書ＩＤを選択テーブルに保管するステップと、
（１３０２）前記物理文書の電子コピーにアクセスできるネットワーク・アドレスを識別するステップであって、好ましい一実施形態では、このネットワーク・アドレスが物理文書上に印刷され、ユーザによってコンピュータ・システムに入力されるステップと、
（１３０２）前記ネットワーク・アドレスを選択テーブルに保管するステップと、
（１３０３）前記物理文書内でユーザによって選択されたページを識別し、前記ページを識別するための手段を選択テーブルに保管するステップと、
（１３０４）ユーザによって選択された前記ページの部分を識別するステップであって、
（１３０５）ユーザが透明ＥＬＤＴデバイスを通してページを見られるように、透明ＥＬＤＴがユーザによって選択されたページの上に位置合わせして配置され、
（１３０６）ユーザが、スタイラスを使用して、透明ＥＬＤＴの上で選択された部分の周りに折れ線を描き、
（１３０７）選択された部分（または領域）の座標がＥＬＤＴにより捕捉され（すなわち、デジタル化され）表示されるステップと、
（１３０８）選択された部分（または領域）の座標をＥＬＤＴから受信するステップと、
選択されたページおよび文書に関連する座標を選択テーブルに保管するステップと、
を有する。
【００５５】
図１は、物理文書（１０１）の選択された部分に関連する電子情報を参照するための手段を作成するための本発明の主な構成要素を示している。好ましい一実施形態では、主な構成要素はインターネット・ネットワークに接続されておらず、基本的に、
透明エレクトロルミネセンス・デジタイジング・タブレット（ＥＬＤＴ）（１０２）と、
スタイラス（１０３）と、
ハンドヘルド・ユーザ・デバイス（１０４）（たとえば、ＰＤＡ、ハンドヘルド・コンピュータ、携帯電話）と、
を有する。
【００５６】
図３は、ユーザが物理文書（または出版物）（３０１）（たとえば、「Ｃｅｌｔｉｃ  Ｌｅｇｅｎｄｓ」というタイトルの印刷書籍）をどのように選択するかを示している。任意のユーザ・インターフェース（キーボード、マウス、音声認識ソフトウェア、およびマイクロホンなど）または任意のその他の読取り手段（たとえば、バーコード・リーダ）により、ユーザは、文書を識別するためのコードまたは名前を入力する。図３に示されている好ましい実施形態では、ユーザは、ユーザ・デバイス（３０４）上に位置する「選択テーブル」（３０５）というテーブル内の新しいレコードを開き、
出版物タイトル（たとえば、「Ｃｅｌｔｉｃ  Ｌｅｇｅｎｄｓ」）（３０８）と、
物理文書（３０１）の電子コピーが保管されている出版社サーバのＷｅｂ上のアドレス（たとえば、「http://www.virgin.net」というＵＲＬ）（３０６）と、
出版社サーバに保管されている電子文書の参照番号（またはＩＳＢＮ）（たとえば、「１７０３０１」）（３０７）であって、選択された物理文書（３０１）のコピー（同じフォーマットを有する）である電子文書の参照番号と、
をタイプする。
【００５７】
文書を識別し、Ｗｅｂにより電子文書コピーを突き止めるために使用される、出版社サーバのＵＲＬ（３０６）と、文書参照番号（３０７）は、物理文書（３０１）上の定義済み予約箇所（たとえば、おもて表紙、裏表紙、または１ページ目）に印刷または付加しなければならない。所与の物理文書（３０１）内でユーザによって行われた新しい各選択について、選択テーブル（３０５）内に新しい項目を作成しなければならない。
【００５８】
図４は、物理文書（４０１）を閲覧または読取りながら、どのようにユーザがページ上で興味ある段落（４０６）を見つけ、この段落の内容を他の文書またはアプリケーションに転記するかを示している。この興味ある段落への参照を作成するために、ユーザはまず、ページ番号（たとえば、ページ「１６」）（４０６）をユーザ・デバイス（４０４）に入力することにより、選択されたページを識別する。その後、ページ番号（４０６）は、選択テーブル（４０５）に記録される。
【００５９】
図５に示されている通り、選択されたページの番号をユーザ・デバイス（５０４）に入力した後、ＥＬＤＴ（５０２）は、
選択されたページの上にユーザによって配置され、
何らかの従来の手段により（たとえば、ＥＬＤＴデバイスの左上隅とページの左上隅を合わせることにより）、このページの境界線に位置合わせされる（５０６）。
【００６０】
この動作の後、ユーザは、透明ＥＬＤＴを通して選択されたページの内容を見ることができる。
【００６１】
図６は、ユーザによって選択された物理文書（６０１）の部分（４０６）を識別する方法を示している。透明ＥＬＤＴデバイス（６０２）を選択されたページの上に位置合わせした状態で保持し、ユーザは、このページ上でスタイラスにより選択された部分（６０５）にマークを付ける（たとえば、ユーザは、選択された領域の周りに描かれた多角形領域の点「Ａ」、「Ｂ」、「Ｃ」、「Ｄ」にマークを付ける）。多角形領域を定義する点（たとえば、「Ａ」、「Ｂ」、「Ｃ」、「Ｄ」）の座標は、ＥＬＤＴデバイス（６０２）によって感知され、ユーザ・デバイス（６０３）に伝送される。座標は、選択テーブル（６０４）に記録され、選択された文書およびページ識別手段に関連付けられる。
【００６２】
図７は、同じ手順を使用して、同じかまたは異なる物理文書の種々のページの種々の部分をユーザがどのように選択できるかを示している。物理文書（７０１）上でユーザによって行われた各選択について、
出版物タイトル（たとえば、「Ｃｅｌｔｉｃ  Ｌｅｇｅｎｄｓ」）（３０８）と、
出版社サーバのネットワーク・アドレス（ＵＲＬ）（たとえば、「http://www.virgin.net」）（３０６）と、
文書番号（たとえば、「１７０３０１」）（３０７）と、
ページ番号（たとえば、ページ「１７」）と、
物理文書の選択された部分の周りの多角形領域を定義する頂点の座標（たとえば、「Ａ」、「Ｂ」、「Ｃ」、「Ｄ」）と、
が選択テーブル（７０４）上の新しいレコードに記録される。
【００６３】
ユーザによって選択された電子文書の部分に対応する電子コピーを検索する方法
図１４に示されている通り、本発明は、ユーザによって選択された物理文書の部分のデジタル・コンテンツをネットワークにより（たとえば、インターネットを介して）検索するためのシステム、方法、およびコンピュータ・プログラムも開示する。
【００６４】
この方法は、
（１４０１）ユーザ・デバイスからネットワーク接続ユーザ・ワークステーションに選択テーブルを伝送するステップと、
選択テーブルに記録された選択の電子コピーを検索するために、
（１４０２）選択のデジタル・コンテンツを含む選択された電子ページを電子文書から受信するための要求を出版社サーバに送信するステップと、
（１４０３）要求された電子ページを出版社サーバから受信するステップと、
（１４０３）ユーザ・ワークステーション上に前記電子ページを表示するステップと、
（１４０４）受信した電子ページ上の選択された領域にマークを付けるステップであって、物理文書上で選択された領域の座標が選択テーブルに保管されるステップと、
（１４０５）電子ページ上でマークされた領域の内容をオペレーティング・システム・クリップボードにコピーするステップと、
（１４０６）ユーザ指定の宛先にクリップボードの内容をコピー（またはカット）しペーストするステップと、
を有する。
【００６５】
図２は、本発明の好ましい一実施形態により、（構成要素（１０２）、（１０３）、（１０４）により）物理文書上でユーザによって事前に行われた選択（７０５）に対応するデジタル情報（２０４）を、出版社サーバ（２０６）に保管された電子文書から検索するために、ネットワーク（たとえば、インターネット（２０７））に接続されたワークステーション（２０１）がどのように使用されるかを示している。
【００６６】
図８は、本発明の好ましい一実施形態により、物理文書内の選択（たとえば、テキスト段落、写真、表）がスタンドアロン構成要素（１０２）、（１０３）、（１０４）により実行された後、ユーザ・デバイス（８０１）上に位置する選択テーブル（８０３）に記録されたデータがインターネット・ネットワーク（８０４）に接続されたワークステーション（８０２）にどのように伝送されるかを示している。
【００６７】
図９は、ユーザがどのようにユーザ・ワークステーション（９０１）に保管された選択テーブル（９０３）内のレコードを選択し、出版社サーバ（９０５）から選択のデジタル・コンテンツを検索するかを示している。この図によって示されている通り、選択テーブル（９０３）に保管されている情報、すなわち、
出版社サーバのＵＲＬ（たとえば、「http://www.virgin.net」）（３０６）と、
文書番号（たとえば、「１７０３０１」）（３０７）と、
選択されたページ番号（たとえば、ページ「１７」）と、
を使用して、ユーザ・ワークステーションは、インターネット・ネットワーク（９０７）により出版社サーバ（９０５）に対し、選択された電子文書（すなわち、「１７０３０１」）から選択された電子ページ（すなわち、ページ「１７」）を検索するための要求（たとえば、「http://www.virgin.net/170301/?&Page=17」）（９０４）を送信する。この電子文書は、物理文書（「Ｃｅｌｔｉｃ  Ｌｅｇｅｎｄｓ」というタイトルのもの）の出版社サーバ（９０５）上の正確なレプリカである。この同じ図に示されている通り、要求された電子ページ（９０６）は、出版社サーバ（９０５）に保管された電子文書から検索され、ユーザ・ワークステーション（９０１）に伝送されて表示される。
【００６８】
図１０は、文書の電子ページ（１００６）が出版社サーバ（１００５）から検索され、ユーザ・ワークステーション（１００１）上に表示されたときに、このユーザ・ワークステーション（１００１）上に常駐するプラグイン・プログラムが受信された電子ページ（１００６）上の選択された領域（１００８）にどのようにマークを付け、その後、この領域のデジタル・コンテンツをオペレーティング・システムのクリップボードにどのようにコピーするかを示している。マウス座標およびアクション（画面座標を使用して画面上の１つまたは複数の矩形領域にマークを付けることなど）は、たとえば、アセンブラ・コードまたは「Ｃ」ユーティリティからのオープン・コード（フリー・コード）を使用して実現できることに留意しなければならない。このプラグイン・プログラムは、物理文書（７０１）の選択されたページ上で、ＥＬＤＴデバイス（７０２）により、ユーザによって選択された領域（７０５）を囲む多角形を定義する点（たとえば、「Ａ」、「Ｂ」、「Ｃ」、「Ｄ」）の座標（１００７）を使用して、選択された領域にマークを付ける。
【００６９】
図１１は、代わって、どのようにユーザが受信された電子ページ（１１０３）上のマークされた領域（１１０４）（この領域は対応する物理文書（７０１）上でユーザによってマークされた領域（７０５）に対応する）を（たとえば、マウスにより）指し示し（１１０５）、その後、それを「コピー」（１１０６）（または「カット」）し、ユーザ・ワークステーション上の電子文書（１１０７）または任意のその他のデータ・リポジトリまたはアプリケーションにそれを「ペースト」するかを示している。
【００７０】
ほとんどのオペレーティング・システムの標準的なＣＯＰＹ（またはＣＵＴの可能性もある）コマンドは選択をクリップボードに保管することに留意しなければならない。また、標準的なＰＡＳＴＥコマンドは、クリップボードの内容を文書の現行ページの現行挿入点または選択箇所に転送する。クリップボードがＵＲＬ（ハイパーリンク）を有する場合、これらのＵＲＬもペーストされたデータに含まれる。
【００７１】
上記で記載したものは、単に本発明の原理の適用例の例証となるものにすぎない。当業者であれば、本発明の精神および範囲を逸脱せずに、その他の配置および方法を実現することができる。
【図面の簡単な説明】
【００７２】
【図１】本発明により物理文書の部分（たとえば、テキスト段落、写真、表）を選択するために使用されるスタンドアロン（すなわち、ネットワークに接続されていない）デバイスを示す図である。
【図２】ネットワークに接続されたワークステーションが、本発明により物理文書上でユーザによって事前に行われた選択に対応するデジタル情報をどのように検索するかを示す図である。
【図３】ユーザがハンドヘルド・デバイス上で物理文書をどのように識別するかを示す図である。
【図４】ユーザがハンドヘルド・ユーザ・デバイス上で物理文書のページをどのように識別するかを示す図である。
【図５】ユーザが文書の選択されたページの上に透明ＥＬＤＴをどのように位置合わせするかを示す図である。
【図６】ユーザがスタイラスによりＥＬＤＴデバイス上の物理文書の部分にどのようにマークを付けるかを示す図である。
【図７】本発明により、同じかまたは異なる物理文書内の種々のページの複数の部分がどのように選択され、ユーザ・デバイス上に位置する選択テーブルにどのように記録されるかを示す図である。
【図８】選択テーブルに保管されたデータが、ハンドヘルド・デバイスからインターネット・ネットワークに接続されたワークステーションにどのように転送されるかを示す図である。
【図９】選択テーブルに記録された各選択について、物理文書内で行われた選択に対応する情報を含む電子ページを検索するための要求が出版社サーバにどのように送信されるかを示す図である。
【図１０】本発明により、選択テーブルに保管された座標を使用して、対応する領域が電子ページ上でどのようにマークされるか、ならびに、この領域のデジタル・コンテンツがユーザ・システムのクリップボード・バッファにどのようにコピーされるかを示す図である。
【図１１】受信した電子ページ上でマークされた領域を指し示すユーザが、物理文書内で行われた選択に対応するデジタル情報をどのようにコピーまたはペーストするかを示す図である。
【図１２】エレクトロルミネセンス・デジタイジング・タブレット（ＥＬＤＴ）の内部構造および動作原理を示す図である。
【図１３】本発明により、物理文書の部分を選択するステップと、前記選択を選択テーブルに記録するステップを示す図である。
【図１４】本発明により、ユーザによって選択された物理文書の部分の電子コピーを検索するステップを示す図である。
【図１】
2007527039.tif 000003
【図２】
2007527039.tif 000004
【図３】
2007527039.tif 000005
【図４】
2007527039.tif 000006
【図５】
2007527039.tif 000007
【図６】
2007527039.tif 000008
【図７】
2007527039.tif 000009
【図８】
2007527039.tif 000010
【図９】
2007527039.tif 000011
【図１０】
2007527039.tif 000012
【図１１】
2007527039.tif 000013
【図１２】
2007527039.tif 000014
【図１３】
2007527039.tif 000015
【図１４】
2007527039.tif 000016
【国際調査報告】
2007527039.tif 000017
2007527039.tif 000018